(57)【要約】【課題】複数口径の弾薬に対応する機関銃を提供する。【解決手段】機関銃１０は、尾筒部１２と、尾筒部１２に取り付けられる所定口径に専用の銃身部１４と、尾筒部１２に取り付けられる所定口径に専用の遊底覆い部１６と、所定口径に専用の遊底部と、所定口径の弾薬の射撃のために遊底部を往復させる遊底部往復機構とを有し、尾筒部１２に取り付けられる作動部と、を備える。尾筒部１２および遊底部往復機構は、所定口径を含む複数の口径に互換性をもつ。【選択図】図１
2019168193.tif 000002
【特許請求の範囲】
【請求項１】
尾筒部と、
前記尾筒部に取り付けられる所定口径に専用の銃身部と、
前記尾筒部に取り付けられる前記所定口径に専用の遊底覆い部と、
前記所定口径に専用の遊底部と、前記所定口径の弾薬の射撃のために前記遊底部を往復させる遊底部往復機構とを有し、前記尾筒部に取り付けられる作動部と、を備え、
前記尾筒部および前記遊底部往復機構は、前記所定口径を含む複数の口径に互換性をもつことを特徴とする機関銃。
【請求項２】
前記尾筒部は、前記複数の口径の薬莢を排出可能とする排弾口を有することを特徴とする請求項１に記載の機関銃。
【請求項３】
前記遊底部が撃針を有することを特徴とする請求項１または２に記載の機関銃。
【請求項４】
前記複数の口径に互換性をもち、前記尾筒部に取り付けられる引金部をさらに備えることを特徴とする請求項１から３のいずれかに記載の機関銃。
【発明の詳細な説明】
【技術分野】
【０００１】
本発明は、機関銃に関する。
【背景技術】
【０００２】
従来から、機関銃など小火器の口径には例えば５．５６ｍｍ、７．６２ｍｍなど複数の種類があるが、ある一つの銃が発射できる弾薬の口径は、あらかじめ決められている。つまり、機関銃は、ある一種の口径に専用に設計されており、その機関銃で別の口径の弾薬を発射することはできない。
【先行技術文献】
【特許文献】
【０００３】
【特許文献１】特開２０１０−９６４７５号公報
【発明の概要】
【発明が解決しようとする課題】
【０００４】
機関銃の運用上、口径の異なる弾薬で射撃を行うことが求められることがある。その場合、射手は、機関銃を交換する必要がある。すなわち、ある口径の弾薬を射撃するときにはその口径に対応した機関銃を使用し、別の口径の弾薬を射撃するときにはその別の口径に対応した別の機関銃を使用しなければならない。機関銃ごとに構造と部品構成がまったく異なっている場合もしばしばあり、そのため、射手は多くの操作方法と整備手順を習得しなければならず、負担が大きい。また、部品点数も多くなり、管理の手間も増える。
【０００５】
本発明のある態様の例示的な目的のひとつは、複数口径の弾薬に対応する機関銃を提供することにある。
【課題を解決するための手段】
【０００６】
本発明のある態様によると、機関銃は、尾筒部と、前記尾筒部に取り付けられる所定口径に専用の銃身部と、前記尾筒部に取り付けられる前記所定口径に専用の遊底覆い部と、前記所定口径に専用の遊底部と、前記所定口径の弾薬の射撃のために前記遊底部を往復させる遊底部往復機構とを有し、前記尾筒部に取り付けられる作動部と、を備え、前記尾筒部および前記遊底部往復機構は、前記所定口径を含む複数の口径に互換性をもつ。
【０００７】
なお、以上の構成要素の任意の組み合わせや本発明の構成要素や表現を、方法、装置、システムなどの間で相互に置換したものもまた、本発明の態様として有効である。
【発明の効果】
【０００８】
本発明によれば、複数口径の弾薬に対応する機関銃を提供することができる。
【図面の簡単な説明】
【０００９】
【図１】実施の形態に係る機関銃の外観を示す概略図である。
【図２】実施の形態に係る機関銃の外観を示す概略図である。
【図３】実施の形態に係る機関銃の概略分解図である。
【図４】実施の形態に係る機関銃の作動部の概略分解図である。
【図５】図５（ａ）は、実施の形態に係る尾筒部の排弾口を示す概略部分拡大図であり、図５（ｂ）は、比較例に係る尾筒部の排弾口を示す概略部分拡大図である。
【図６】図６（ａ）は、実施の形態に係る作動部を示す概略側面図であり、図６（ｂ）は、比較例に係る作動部を示す概略側面図である。
【発明を実施するための形態】
【００１０】
以下、図面を参照しながら、本発明を実施するための形態について詳細に説明する。説明および図面において同一または同等の構成要素、部材、処理には同一の符号を付し、重複する説明は適宜省略する。図示される各部の縮尺や形状は、説明を容易にするために便宜的に設定されており、特に言及がない限り限定的に解釈されるものではない。実施の形態は例示であり、本発明の範囲を何ら限定するものではない。実施の形態に記述されるすべての特徴やその組み合わせは、必ずしも発明の本質的なものであるとは限らない。
【００１１】
図１および図２は、実施の形態に係る機関銃の外観を示す概略図である。図１には、射手が操作するときに射手にとって左側となる面が示され、図２には、反対側すなわち射手にとって右側となる面が示されている。図３は、実施の形態に係る機関銃の概略分解図であり、図４は、実施の形態に係る機関銃の作動部の概略分解図である。
【００１２】
図示される機関銃１０は、軽機関銃に分類される機関銃であり、その基本的な構成要素として、尾筒部１２、銃身部１４、遊底覆い部１６、引金部１８、銃床部２０、二脚部２２、および作動部２４を備える。作動部２４は、遊底部２６および遊底部往復機構２８を有する。遊底部往復機構２８は、弾薬の射撃のために遊底部２６を往復させるように構成され、揺底部２８ａ、ピストン部２８ｂ、および復座バネ軸部２８ｃを有する。遊底部往復機構２８は、作動部２４のうち遊底部２６を除く部分とも言える。
【００１３】
詳細は後述するが、尾筒部１２および遊底部往復機構２８は、複数の口径に互換性をもつ。複数の口径は、例えば異なる二種の口径であり、一例として５．５６ｍｍと７．６２ｍｍであってもよい。また、引金部１８、銃床部２０、および二脚部２２も、複数の口径に互換性をもってもよい。銃身部１４、遊底覆い部１６、および遊底部２６は、複数の口径のうち所定口径（一例として、５．５６ｍｍまたは７．６２ｍｍのいずれか）に専用に設計されている。
【００１４】
尾筒部１２は、機関銃１０の他の構成要素を保持する機関銃１０の基本要素であり、尾筒部１２には、銃身部１４、遊底覆い部１６、引金部１８、銃床部２０、二脚部２２、および作動部２４が取り付けられる。作動部２４は、尾筒部１２に内蔵されている。尾筒部１２は、機関銃１０の長手方向（図１および図２における左右方向）に沿う作動部２４の往復動を案内する役割も担う。また、尾筒部１２は、薬莢の排出のための排弾口３０を有する。
【００１５】
遊底覆い部１６は、遊底部２６を覆うカバーとして遊底部２６の上方に配置されている。遊底覆い部１６は送弾部としても働く。遊底部２６は、その後端部を揺底部２８ａに支持され、揺底部２８ａは、ピストン部２８ｂに支持されている。復座バネ軸部２８ｃのうち復座バネ内に延在する軸が尾筒部１２に固定され、この軸とピストン部２８ｂとの間に復座バネ軸部２８ｃの復座バネが装着されている。遊底部２６、揺底部２８ａ、およびピストン部２８ｂは、射撃時に発生する燃焼ガス圧と復座バネの弾性力の作用により尾筒部１２に対し機関銃１０の長手方向に往復動可能である。
【００１６】
機関銃１０の射撃工程においては、まず射手により引金部１８の引金が引かれる。引金部１８によって保持されていた作動部２４は解放される。圧縮されていた復座バネ軸部２８ｃの復座バネの復元力によって、作動部２４は前進する。このとき、尾筒部１２は、直後に射撃する弾薬を遊底覆い部１６から受け取り、弾薬は銃身部１４の内部に装填される。前進する作動部２４内の撃針３２が弾薬後部の雷管を打撃し、それにより弾薬内部の火薬が燃焼し始める。火薬の燃焼に伴って発生するガス圧が弾薬先端の弾頭を銃身部１４の銃口に向けて射出する。こうして、機関銃１０から弾丸が発射される。
【００１７】
火薬の燃焼ガスは銃身部１４の側面にあるガス漏孔を経由し、尾筒部１２の内部を通り、作動部２４（具体的にはピストン部２８ｂ）に作用する。ピストン部２８ｂが燃焼ガスから力を受けて作動部２４は後退する。このとき、射撃を終えた弾薬（すなわち薬莢）は銃身部１４から遊底部２６により抜き取られる。薬莢は、作動部２４の後退の途中で排弾口３０から外部に排出される。作動部２４は、さらに後退しながら復座バネ軸部２８ｃの復座バネを圧縮する。
【００１８】
後退した作動部２４は、圧縮された復座バネの復元力によって再び前進し始める。こうして、次弾の射撃工程が始まる。引金部１８の引金が引かれている間、機関銃１０は、連続的に弾丸を発射する。
【００１９】
このような機関銃１０の基本的な構造と射撃工程の動作については、公知の種々のものを採用可能であり、よって、更なる詳細説明は本書では省略する。
【００２０】
従来典型的な機関銃においては、銃身部、遊底覆い部、作動部、引金部、尾筒部といった機関銃の主要な構成部品が口径ごとに専用に設計されているため、複数の異なる口径の弾薬を発射するには、それら専用の構成部品はすべて交換しなければならない。
【００２１】
ところが、実施の形態に係る機関銃１０においては、尾筒部１２および遊底部往復機構２８は、複数の口径に互換性をもつ。また、引金部１８、銃床部２０、および二脚部２２も、複数の口径に互換性をもつ。これらの構成部品は、第１口径の弾薬と第２口径の弾薬の両方の射撃に適合する。
【００２２】
第１口径の弾薬の射撃には、第１口径用の銃身部１４、遊底覆い部１６、および遊底部２６が使用される。第１口径と異なる第２口径の弾薬の射撃には、第２口径用の銃身部１４、遊底覆い部１６、および遊底部２６が使用される。そのために、尾筒部１２は、第１口径用の銃身部１４および遊底覆い部１６と第２口径用の銃身部１４および遊底覆い部１６とを交換して取付可能とするように構成されている。遊底部往復機構２８（例えば揺底部２８ａ）は、第１口径用の遊底部２６と第２口径用の遊底部２６とを交換して取付可能とするように構成されている。
【００２３】
尾筒部１２と遊底部往復機構２８が複数の口径に共用されることで、これらに取り付けられ、これらと連携して動作する引金部１８についても、複数の口径に共通の設計を採用しやすくなる。同様に、尾筒部１２が複数の口径に共用されることで、尾筒部１２に取り付けられる銃床部２０および二脚部２２を複数の口径に共通の設計を採用しやすくなる。
【００２４】
図５（ａ）は、実施の形態に係る尾筒部１２の排弾口３０を示す概略部分拡大図であり、図５（ｂ）は、比較例に係る尾筒部１１２の排弾口１３０を示す概略部分拡大図である。理解を助けるために、排弾口（３０，１３０）には、斜線を付してある。
【００２５】
図５（ａ）に示されるように、尾筒部１２は、複数の口径の薬莢を排出可能とする排弾口３０を有する。排弾口３０は、例えば異なる二種の口径の薬莢を排出することができる寸法および形状を有する。よって、排弾口３０は、第１口径の薬莢と第１口径より大きい第２口径の薬莢に共通する排弾口として機能する。排弾口３０を通じて、第１口径の弾薬の射撃時には第１口径の薬莢を正常に排出し、かつ第２口径の弾薬の射撃時には第２口径の薬莢を正常に排出することができる。
【００２６】
一例として、図示されるように、排弾口３０は、機関銃１０の長手方向に沿って細長い台形状の開口部として尾筒部１２に形成されている。台形状開口部の平行な二辺（３０ａ，３０ｂ）は、機関銃１０の長手方向に概ね平行に延び、これら二辺のうち下辺３０ｂが上辺３０ａよりも長い。平行な二辺をつなぐもう一組の二辺のうち、機関銃１０の長手方向において後方に位置する一辺は、平行な二辺と概ね直交するように上下に延びてこれら二辺をつないでいる。長手方向に前方に位置するもう一辺は、平行な二辺の上辺３０ａの前端から下辺３０ｂの前端へと斜め下方に延びている。
【００２７】
排弾口３０の長い下辺３０ｂは、第１口径の薬莢および第２口径の薬莢それぞれの長さよりも長い。排弾口３０の高さ、すなわち上辺３０ａと下辺３０ｂの距離は、第１口径の薬莢および第２口径の薬莢それぞれの幅よりも長い。排弾口３０の短い上辺３０ａは、第１口径の薬莢の長さより長く、第２口径の薬莢の長さより短くてもよい。あるいは、排弾口３０の短い上辺３０ａも、第１口径の薬莢および第２口径の薬莢それぞれの長さよりも長くてもよい。このようにして、排弾口３０は、異なる二種の口径の薬莢を排出に適合するように形成されていてもよい。
【００２８】
排弾口３０の下辺３０ｂが上辺３０ａより長いことは、排弾性能と尾筒部１２の強度維持の両立に役立つ。薬莢はたいてい、排弾口３０の下方から排出される。そのため、上辺３０ａを延長する場合に比べて、下辺３０ｂを第２口径の薬莢に合わせて長くすることによって、第２口径の薬莢をより円滑に排出することができる。また、排弾口３０は尾筒部１２に形成された穴であるから、そのサイズが小さいほど尾筒部１２の構造的な強度は高まる。排弾口３０が矩形状で上下辺を同じ長さとする場合に比べて、排弾口３０の上辺３０ａを下辺３０ｂより短くすることによって、排弾口３０をより狭くすることができ、尾筒部１２の強度は向上される。
【００２９】
なお、排弾口３０の寸法および形状は、図示される特定の寸法および形状には限定されない。例えば、上辺３０ａと下辺３０ｂをつなぐ二辺のうち前側の辺が、上辺３０ａおよび下辺３０ｂと概ね直交するように上下に延びてこれら二辺をつなぎ、後側の辺が上辺３０ａの後端から下辺３０ｂの後端へと斜めに延びていてもよい。あるいは、前側の辺と後側の辺の両方が斜めになっていてもよい。排弾口３０の形状の他の一例としては、排弾口３０は、機関銃１０の長手方向に沿って細長い矩形状の形状を有し、排弾口３０の長手方向の長さが第２口径の薬莢の長さより長くてもよい。排弾口３０は、複数の口径の薬莢を排出可能とするそのほか任意の寸法および形状を有してもよい。
【００３０】
一方、図５（ｂ）に示される比較例に係る尾筒部１１２の排弾口１３０は、第１口径の薬莢に合わせた寸法および形状に形成されている。排弾口３０は、機関銃１０の長手方向に沿って細長い矩形状の形状を有する。排弾口３０の長手方向の長さは第１口径の薬莢より長いが、第２口径（上述のように第１口径より大きい）の薬莢より短い。そのため、第２口径の薬莢はこの排弾口１３０を通り抜けることができない。このように、従来の機関銃では、排弾口１３０の寸法および形状が口径ごとに設計されているため、口径の異なる弾薬を射撃しようとした場合、薬莢の排出が正常になされず、射撃を継続できない。
【００３１】
図６（ａ）は、実施の形態に係る作動部２４を示す概略側面図であり、図６（ｂ）は、比較例に係る作動部１２４を示す概略側面図である。理解を助けるために、各図では遊底部（２６，１２６）を遊底部往復機構（２８，１２８）から分離して示してある。
【００３２】
一般に、撃針３２は、弾薬の雷管を打撃して火薬に点火する部材であるため、その弾薬の口径に合わせた専用の設計を要する。本実施の形態においては、図６（ａ）に示されるように、遊底部２６が撃針３２を有する。すなわち、揺底部２８ａなど遊底部往復機構２８は撃針３２を有しない。遊底部往復機構２８は上述のように、揺底部２８ａ、ピストン部２８ｂ、および復座バネ軸部２８ｃを備える。このように、遊底部２６が撃針３２を内蔵することによって、遊底部往復機構２８を複数口径に共通部品として設計しやすくなる。
【００３３】
一方、図６（ｂ）に示される比較例に係る作動部１２４では、遊底部往復機構１２８の揺底部１２８ａに撃針１３２が固定されている。そのため、異なる口径の弾薬を発射するには、揺底部１２８ａをその口径用のものに交換するか、または揺底部１２８ａから撃針１３２を取り外して交換する必要がある。
【００３４】
以上説明したように、実施の形態に係る機関銃１０によると、従来典型的な機関銃とは異なり、複数の異なる口径の弾薬の射撃のためにすべてまたはほとんどの構成部品を交換することは要しない。多くの構成部品、すなわち尾筒部１２、引金部１８、銃床部２０、二脚部２２、および遊底部往復機構２８は、複数の口径に共通に使用できる。銃身部１４、遊底覆い部１６、および遊底部２６を組み替えることにより、一つの機関銃１０で複数の口径の弾薬を発射することができる。このようにして、複数口径の弾薬に対応する機関銃１０を提供することができる。口径ごとに専用化された部品は少数となるので、操作方法や整備手順など射手が習得に要する負担は軽減され、また部品管理もしやすくなる。
【００３５】
以上、本発明を実施例にもとづいて説明した。本発明は上記実施形態に限定されず、種々の設計変更が可能であり、様々な変形例が可能であること、またそうした変形例も本発明の範囲にあることは、当業者に理解されるところである。
【００３６】
ある実施の形態においては、尾筒部１２および遊底部往復機構２８が複数の口径に互換性をもち、引金部１８、銃床部２０、および二脚部２２のうち少なくとも１つが複数の口径に互換性をもってもよい。このようにしても、従来と比べて、口径ごとに専用化された部品は少数となり、操作方法や整備手順など射手が習得に要する負担は軽減され、また部品管理もしやすくなる。あるいは、ある実施の形態においては、尾筒部１２、引金部１８、銃床部２０、二脚部２２、および遊底部往復機構２８のうち少なくとも１つが複数の口径に互換性をもってもよい。
【００３７】
上述の実施の形態においては、尾筒部１２などの機関銃１０の互換性部品が異なる二種の口径に互換性を有し、これら二種の口径それぞれに専用に設計された銃身部１４などの機関銃１０の交換部品が互換性部品に交換して取付可能とされているが、これに限られない。ある実施の形態においては、機関銃１０の互換性部品が異なる三種以上の口径に互換性を有し、各口径に専用に設計された交換部品が互換性部品に交換して取付可能とされていてもよい。
【符号の説明】
【００３８】
１０  機関銃、  １２  尾筒部、  １４  銃身部、  １６  遊底覆い部、  １８  引金部、  ２４  作動部、  ２６  遊底部、  ２８  遊底部往復機構、  ３０  排弾口、  ３２  撃針。
【図１】
2019168193.tif 000003
【図２】
2019168193.tif 000004
【図３】
2019168193.tif 000005
【図４】
2019168193.tif 000006
【図５】
2019168193.tif 000007
【図６】
2019168193.tif 000008